(57)【要約】【課題】燃料電池が発電停止中であっても無駄な電力を消費していた。【解決手段】燃料電池２及び系統電源３間に配置され、燃料電池にて発電した直流電力を交流電力に変換するインバータ１３と、通信インタフェース１７と、駆動系制御部１８Ａと、監視系制御部１８Ｂと、通信インタフェース、駆動系制御部及び監視系制御部を含む複数の電力供給対象部位に制御電力を供給する電源１９Ａ〜１９Ｈを備えた制御用電源１００とを有し、制御用電源は、燃料電池が発電中の場合、燃料電池にて発電した電力を制御電力として全電力供給対象部位に供給するパワコン装置４であって、制御用電源は、燃料電池が発電停止中の場合、電源１９Ａ，１９Ｂを通じて、系統電源からの電力を制御電力として監視系制御部及び通信インタフェースにのみ供給するようにした。【選択図】図１
2007252013.tif 000002
【特許請求の範囲】
【請求項１】
分散型電源及び系統電源間に配置され、前記分散型電源にて発電した直流電力を交流電力に変換するインバータと、外部機器と通信接続する通信インタフェースと、装置内部の駆動系を駆動制御する駆動系制御部と、前記装置内部の監視系を制御する監視系制御部と、前記通信インタフェース、前記駆動系制御部及び前記監視系制御部を含む複数の電力供給対象部位毎に接続し、前記電力供給対象部位毎に制御電力を供給する電源回路を備えた制御用電源とを有し、前記制御用電源は、前記分散型電源が発電中の場合、前記分散型電源にて発電した電力を前記制御電力として、前記電源回路を通じて各電力供給対象部位に供給する電力変換装置であって、
前記制御用電源は、
前記分散型電源が発電停止中の場合、前記複数の電力供給対象部位の内、前記監視系制御部の前記電源回路を通じて、前記系統電源からの電力を前記制御電力として前記監視系制御部にのみ供給することを特徴とする電力変換装置。
【請求項２】
前記制御用電源は、
前記分散型電源が発電停止中の場合、前記複数の電力供給対象部位の内、前記監視系制御部及び前記通信インタフェースの各電源回路を通じて、前記系統電源からの電力を前記制御電力として、前記監視系制御部及び前記通信インタフェースにのみ供給することを特徴とする請求項１記載の電力変換装置。
【請求項３】
前記制御用電源は、
前記監視系制御部の電源回路及び前記通信インタフェースの電源回路同士を電気的に接続又は遮断する切替手段を備え、
前記監視系制御部は、
前記分散型電源の発電停止中における前記監視系制御部の電源回路からの電力供給に応じて、前記監視系制御部の電源回路及び前記通信インタフェースの同電圧値の電源回路同士を電気的に接続して前記通信インタフェースにも前記制御電力を供給すべく、前記切替手段を切替制御することを特徴とする請求項２記載の電力変換装置。
【請求項４】
分散型電源及び系統電源間に配置され、前記分散型電源にて発電した直流電力を交流電力に変換するインバータと、外部機器と通信接続する通信インタフェースと、装置内部の駆動系を駆動制御する駆動系制御部と、前記装置内部の監視系を制御する監視系制御部と、前記通信インタフェース、前記駆動系制御部及び前記監視系制御部を含む複数の電力供給対象部位毎の二次側コイル及び、一次側コイルで構成するトランスを備え、このトランスを通じて前記電力供給対象部位毎に制御電力を供給する制御用電源とを有し、前記制御用電源は、前記分散型電源が発電中の場合、前記分散型電源にて発電した電力を、前記トランスの一次側コイル及び各二次側コイルを経て、前記制御電力として各電力供給対象部位に供給する電力変換装置であって、
前記制御用電源は、
前記分散型電源が発電停止中の場合、前記トランスの一次側コイルを経ることなく、前記複数の電力供給対象部位の内、前記監視系制御部に関わる前記二次側コイルを通じて、前記系統電源からの電力を前記制御電力として前記監視系制御部にのみ供給することを特徴とする電力変換装置。
【発明の詳細な説明】
【技術分野】
【０００１】
本発明は、例えば燃料電池等の分散型電源と系統電源とを連系して、例えば家電機器等の一般負荷に電力を供給する分散型電源システムに使用されるパワーコンディショナ装置(以下、単にパワコン装置と称する)等の電力変換装置に関する。
【背景技術】
【０００２】
従来、このような分散型電源システムとしては、直流電力を発電する、例えば太陽光発電機等の分散型電源と、商用電源等の系統電源と、分散型電源及び系統電源間に配置され、分散型電源にて発電した直流電力を交流電力に変換するインバータ機能を備えたパワコン装置とを備え、前記パワコン装置は、分散型電源と系統電源とを連系して、例えば家電機器等の一般負荷に電力を供給するシステムを本出願人は提案している（例えば特許文献１参照）。
【０００３】
特許文献１のパワコン装置によれば、分散型電源が太陽光発電機であることから、例えば昼間のように太陽光発電機が発電できる場合、太陽光発電機で発電した電力を制御電力としてパワコン装置内部の制御装置に供給し、例えば夜間のように太陽光発電機が発電できない場合、系統電源からの電力を制御電力として制御装置に供給するようにしたので、太陽光発電機が発電できない場合でも、制御装置に制御電力を供給することができるものである。
【０００４】
尚、制御装置は、インバータや開閉器等の駆動系を駆動制御する駆動系制御部と、系統電圧の計測等の監視系を制御する監視系制御部とを有しているものである。
【０００５】
そこで、この点を踏まえて、分散型電源として太陽光発電機ではなく、燃料電池を備えた、本出願人が想定する一般的な燃料電池発電システムについて説明する。図３は本出願人が想定する一般的な燃料電池発電システム内部の概略構成を示すブロック図である。
【０００６】
図３に示す燃料電池発電システム１は、例えばガス、灯油やアルコール等を改質して水素を抽出し、この抽出した水素と空気中の酸素とを反応させて直流電力を発電する燃料電池２と、商用電源等の系統電源３と、燃料電池２及び系統電源３間に配置され、燃料電池２にて発電した直流電力を交流電力に変換するインバータ機能、例えば系統電源３側の停電を監視する監視機能及び、系統電源３の状態を監視し、例えば系統電圧が異常に上昇した場合に、系統電源３との電気的接続を遮断する保護継電機能を備えたパワコン装置４と、この燃料電池発電システム１全体を制御するメインコントローラ５とを有している。
【０００７】
また、パワコン装置４は、燃料電池２からの直流電力にノイズカット用のフィルタ処理を施す第１フィルタ１１と、この第１フィルタ１１でフィルタ処理を施した直流電力を昇圧する昇圧回路１２と、この昇圧回路１２で昇圧した直流電力を交流電力に変換するインバータ１３と、このインバータ１３にて変換された交流電力にノイズカット用のフィルタ処理を施す第２フィルタ１４と、燃料電池２及び系統電源３間を電気的に接続又は遮断する系統側開閉器１５と、様々な情報を記憶するメモリ部１６と、メインコントローラ５と通信接続する通信インタフェース１７と、パワコン装置４全体を制御する制御装置１８と、制御装置１８及び通信インタフェース１７に制御電力を供給する制御用電源１９と、系統電源３から電力を供給する系統側電力供給部２０とを有している。
【０００８】
系統側電力供給部２０は、系統電源３からの交流電力を変圧する絶縁トランス２１と、絶縁トランス２１にて変圧した交流電力を直流電力に整流し、かつ、この直流電力を、逆流防止用ダイオード２３を通じて制御用電源１９に供給する整流器２２とを有している。
【０００９】
また、制御装置１８は、系統側開閉器１５、オペアンプやインバータ１３等の駆動系を駆動制御する駆動系制御部１８Ａと、系統電圧の計測等の監視系を制御する監視系制御部１８Ｂとを有している。尚、監視系制御部１８Ｂは、通信インタフェース１７を使用した通信制御も実行するものとする。
【００１０】
また、制御装置１８の駆動系制御部１８Ａは、例えば燃料電池２が発電中の場合、系統側開閉器１５を通じて燃料電池２及び系統電源３間を電気的に接続すると共に、例えば燃料電池２の発電停止を検出すると、系統側開閉器１５を通じて燃料電池２及び系統電源３間の電気的接続を遮断するものである。
【００１１】
また、制御用電源１９は、通信インタフェース１７と、制御装置１８内部の駆動系制御部１８A及び監視系制御部１８Ｂとを含む電力供給対象部位に制御電力を供給するものである。
【００１２】
また、制御用電源１９は、燃料電池２が発電中の場合、燃料電池２にて発電した直流電力を第１フィルタ１１及び昇圧回路１２間で抽出し、この抽出した直流電力を制御電力として駆動系制御部１８Ａ、監視系制御部１８Ｂ及び通信インタフェース１７を含む全電力供給対象部位に供給するものである。
【００１３】
また、制御用電源１９は、燃料電池２が発電停止した場合、駆動系制御部１８Ａが系統側開閉器１５を通じて燃料電池２及び系統電源３間の電気的接続を遮断することで、系統電源３からの交流電力を系統側電力供給部２０内の絶縁トランス２１、整流器２２及び逆流ダイオード２３を通じて直流電力に変換し、この直流電力を制御電力として駆動系制御部１８Ａ、監視系制御部１８Ｂ及び通信インタフェース１７を含む全電力供給対象部位に供給するものである。
【００１４】
図４は本出願人が想定した一般的な燃料電池発電システム１のパワコン装置４に関わる制御用電源１９及び系統側電力供給部２０内部の概略構成を示すブロック図である。
【００１５】
制御用電源１９は、一次側コイル３０Ａ及び二次側コイル３０Ｂで構成するトランス３０を有し、一次側コイル３０Ａは、第１フィルタ１１及び昇圧回路１２間のラインに接続すると共に、系統側電力供給部２０に接続するものである。
【００１６】
二次側コイル３０Ｂは、監視系制御部１８Ｂに電力を給電するＶｃｃの監視系制御部用電源１９Ａと、通信インタフェース１７に電力を給電するＶＯの通信インタフェース用電源１９Ｂと、系統側開閉器１５の駆動部に電力を給電するＶＲの系統側開閉器駆動用電源１９Ｃと、オペアンプの駆動部に電力を給電する＋ＶＡのオペアンプ駆動用電源１９Ｄ及び−ＶＡのオペアンプ駆動用電源１９Ｅと、インバータ１３の駆動部に電力を給電するＶＧＤ，ＶＧＵ１，ＶＧＵ２のインバータ駆動用電源１９Ｆ、１９Ｇ及び１９Ｈとの合計８個の電源と接続している。
【００１７】
尚、駆動系制御部１８Ａに使用する電源としては、系統側開閉器駆動用電源１９Ｃ、オペアンプ駆動用電源１９Ｄ及び１９Ｅ、インバータ駆動用電源１９Ｆ，１９Ｇ及び１９Ｈの合計６個の電源、監視系制御部１８Ｂに使用する電源としては、監視系制御部用電源１９Ａ及び通信インタフェース用電源１９Ｂに相当する。
【００１８】
制御用電源１９は、燃料電池２が発電中の場合、燃料電池２にて発電した直流電力をトランス３０の一次側コイル３０Ａ及び二次側コイル３０Ｂを経て、高電圧の直流電力を低電圧の直流電力に変圧して各電源１９Ａ〜１９Ｈに供給するものである。
【００１９】
また、制御用電源１９は、燃料電池２が発電を停止した場合、系統側電力供給部２０からの直流電力をトランス３０の一次側コイル３０Ａ及び二次側コイル３０Ｂを経て、高電圧の直流電力を低電圧の直流電力に変圧して各電源１９Ａ〜１９Ｈに供給するものである。
【００２０】
このような燃料電池発電システム１によれば、燃料電池２の発電停止を検出すると、系統側開閉器１５が第２フィルタ１４及び系統電源３間の電気的接続を遮断することになるため、系統側電力供給部２０を通じて系統電源３からの交流電力を直流電力に変換し、この直流電力を制御用電源１９のトランス３０内の一次側コイル３０Ａに供給し、この一次側コイル３０Ａ及び二次側コイル３０Ｂを経て合計８個の全電源１９Ａ〜１９Ｈに電力を供給するようにしたので、燃料電池２が発電停止中でも制御装置１８全体に電力を供給することができる。
【特許文献１】特開２００２−２３８１６０号公報（要約書及び図１参照）
【発明の開示】
【発明が解決しようとする課題】
【００２１】
しかしながら、このような燃料電池発電システム１によれば、燃料電池２の発電停止を検出すると、系統側電力供給部２０からの直流電力を制御用電源１９内のトランス３０の一次側コイル３０Ａに供給し、一次側コイル３０Ａ及び二次側コイル３０Ｂを経て合計８個の全電源１９Ａ〜１９Ｈに電力供給するようにしたが、燃料電池２が発電停止中の場合には、駆動系制御部１８Ａは使用する必要性もないことから、その駆動系制御部１８Ａに給電する駆動系制御部用電源１９０への電力供給は消費電力の浪費に繋がる。
【００２２】
本発明は上記点に鑑みてなされたものであり、その目的とするところは、燃料電池が発電停止中の場合、その消費電力を最小限に抑制することができる、省エネ効果に優れた電力変換装置を提供することにある。
【課題を解決するための手段】
【００２３】
上記目的を達成するために本発明の電力変換装置は、分散型電源及び系統電源間に配置され、前記分散型電源にて発電した直流電力を交流電力に変換するインバータと、外部機器と通信接続する通信インタフェースと、装置内部の駆動系を駆動制御する駆動系制御部と、前記装置内部の監視系を制御する監視系制御部と、前記通信インタフェース、前記駆動系制御部及び前記監視系制御部を含む複数の電力供給対象部位毎に接続し、前記電力供給対象部位毎に制御電力を供給する電源回路を備えた制御用電源とを有し、前記制御用電源は、前記分散型電源が発電中の場合、前記分散型電源にて発電した電力を前記制御電力として、前記電源回路を通じて各電力供給対象部位に供給する電力変換装置であって、前記制御用電源は、前記分散型電源が発電停止中の場合、前記複数の電力供給対象部位の内、前記監視系制御部の前記電源回路を通じて、前記系統電源からの電力を前記制御電力として前記監視系制御部にのみ供給するようにした。
【００２４】
従って、本発明の電力変換装置によれば、前記分散型電源が発電停止中の場合、前記複数の電力供給対象部位の内、前記監視系制御部の電源回路を通じて、前記系統電源からの電力を制御電力として前記監視系制御部にのみ供給するようにしたので、従来のような駆動系制御部への電力供給をなくすことで、分散型電源の発電停止中における電力消費量を大幅に削減することができ、その結果、大きな省エネ効果を得ることができる。
【００２５】
本発明の電力変換装置は、前記制御用電源は、前記分散型電源が発電停止中の場合、前記複数の電力供給対象部位の内、前記監視系制御部及び前記通信インタフェースの各電源回路を通じて、前記系統電源からの電力を前記制御電力として、前記監視系制御部及び前記通信インタフェースにのみ供給するようにした。
【００２６】
従って、本発明の電力変換装置によれば、前記分散型電源が発電停止中の場合、前記複数の電力供給対象部位の内、前記監視系制御部及び前記通信インタフェースの各電源回路を通じて、前記系統電源からの電力を制御電力として、前記監視系制御部及び前記通信インタフェースにのみ供給するようにしたので、従来のような駆動系制御部への電力供給をなくすことで、分散型電源の発電停止中における電力消費量を大幅に削減することができ、その結果、大きな省エネ効果を得ることができる。
【００２７】
本発明の電力変換装置は、前記制御用電源は、前記監視系制御部の電源回路及び前記通信インタフェースの電源回路同士を電気的に接続又は遮断する切替手段を備え、前記監視系制御部は、前記分散型電源の発電停止中における前記監視系制御部の電源回路からの電力供給に応じて、前記監視系制御部の電源回路及び前記通信インタフェースの同電圧値の電源回路同士を電気的に接続して前記通信インタフェースにも前記制御電力を供給すべく、前記切替手段を切替制御するようにした。
【００２８】
従って、本発明の電力変換装置によれば、前記監視系制御部は、前記分散型電源の発電停止中における前記監視系制御部の電源回路からの電力供給に応じて、前記監視系制御部の電源回路及び前記通信インタフェースの同電圧値の電源回路同士を電気的に接続して前記通信インタフェースにも前記制御電力を供給すべく、前記切替手段を切替制御するようにしたので、前記切替手段の切替動作で前記監視系制御部はもちろんのこと、通信インタフェースにも制御電力を供給することができる。
【００２９】
また、本発明の電力変換装置は、分散型電源及び系統電源間に配置され、前記分散型電源にて発電した直流電力を交流電力に変換するインバータと、外部機器と通信接続する通信インタフェースと、装置内部の駆動系を駆動制御する駆動系制御部と、前記装置内部の監視系を制御する監視系制御部と、前記通信インタフェース、前記駆動系制御部及び前記監視系制御部を含む複数の電力供給対象部位毎の二次側コイル及び、一次側コイルで構成するトランスを備え、このトランスを通じて前記電力供給対象部位毎に制御電力を供給する制御用電源とを有し、前記制御用電源は、前記分散型電源が発電中の場合、前記分散型電源にて発電した電力を、前記トランスの一次側コイル及び各二次側コイルを経て、前記制御電力として各電力供給対象部位に供給する電力変換装置であって、前記制御用電源は、前記分散型電源が発電停止中の場合、前記トランスの一次側コイルを経ることなく、前記複数の電力供給対象部位の内、前記監視系制御部に関わる前記二次側コイルを通じて、前記系統電源からの電力を前記制御電力として前記監視系制御部にのみ供給するようにした。
【００３０】
従って、本発明の電力変換装置によれば、前記分散型電源が発電停止中の場合、前記トランスの一次側コイルを経ることなく、前記複数の電力供給対象部位の内、前記監視系制御部に関わる前記二次側コイルを通じて、前記系統電源からの電力を前記制御電力として前記監視系制御部にのみ供給するようにしたので、従来のような絶縁トランスの損失、一次側コイル及び二次側コイル間の変換損失、及び駆動系制御部への電力供給をなくすことで、分散型電源の発電停止中における電力消費量を大幅に削減することができ、その結果、大きな省エネ効果を得ることができる。
【発明の効果】
【００３１】
上記のように構成された本発明の電力変換装置によれば、前記分散型電源が発電停止中の場合、前記複数の電力供給対象部位の内、前記監視系制御部の電源回路を通じて、前記系統電源からの電力を制御電力として前記監視系制御部にのみ供給するようにしたので、従来のような駆動系制御部への電力供給をなくすことで、分散型電源の発電停止中における電力消費量を大幅に削減することができ、その結果、大きな省エネ効果を得ることができる。
【発明を実施するための最良の形態】
【００３２】
以下、図面に基づいて本発明の電力変換装置に関わる実施の形態を示す燃料電池発電システムについて説明する。図１は本実施の形態を示す燃料電池発電システム１のパワコン装置４内部の要部である制御用電源１００及び系統側電力供給部２０内部の概略構成を示すブロック図である。尚、図３に示す燃料電池発電システム１と同一の構成については同一符号を付すと共に、その重複する構成及び動作の説明については省略する。
【００３３】
まず、本実施の形態を示す燃料電池発電システム１の特徴とするところは、図３に示すパワコン装置４内部の制御用電源１９を、図１に示す制御用電源１００に変更した点にある。
【００３４】
図１に示す制御用電源１００は、一次側コイル３０Ａ及び二次側コイル３０Ｂで構成するトランス３０を有し、一次側コイル３０Ａは、第１フィルタ１１及び昇圧回路１２間のラインに接続するものである。
【００３５】
二次側コイル３０Ｂは、ＶＣＣの監視系制御部用電源１９Ａと、ＶＯの通信インタフェース用電源１９Ｂと、ＶＲの系統側開閉器駆動用電源１９Ｃと、＋ＶＡのオペアンプ駆動用電源１９Ｄ及び−ＶＡのオペアンプ駆動用電源１９Ｅと、ＶＧＤ、ＶＧＵ１，ＶＧＵ２のインバータ駆動用電源１９Ｆ、１９Ｇ及び１９Ｈと接続している。尚、駆動系制御部１８Ａに使用する電源としては、系統側開閉器駆動用電源１９Ｃ、オペアンプ駆動用電源１９Ｄ及び１９Ｅ、インバータ駆動用電源１９Ｆ，１９Ｇ及び１９Ｈの合計６個の電源、監視系制御部１８Ｂに使用する電源としては、監視系制御部用電源１９Ａに相当する。
【００３６】
制御用電源１００は、第１フィルタ１１及び昇圧回路１２間のラインと一次側コイル３０Ａとを接続することで、燃料電池２からの直流電力は一次側コイル３０Ａに電力供給すると共に、系統側電力供給部２０と監視系制御部用電源１９Ａとを接続することで、系統側電力供給部２０からの直流電力は監視系制御部用電源１９Ａに電力供給するものである。
【００３７】
また、制御用電源１００は、監視系制御部用電源１９Ａ及び通信インタフェース用電源１９Ｂ間を電気的に接続又は遮断する切替リレー３１を備え、監視系制御部１８Ａは、監視系制御部用電源１９Ａ及び通信インタフェース用電源１９Ｂ間を電気的に接続又は遮断すべく、切替リレー３１を切替制御するものである。
【００３８】
また、制御用電源１００は、燃料電池２が発電中の場合、燃料電池２にて発電した直流電力を第1フィルタ１１及び昇圧回路１２間で抽出し、この抽出した直流電力を一次側コイル３０Ａに供給し、一次側コイル３０Ａ及び各電源１９Ａ〜１９Ｈの二次側コイル３０Ｂを経て電源１９Ａ〜１９Ｈ毎に直流電力ＶＤＤを供給するものである。
【００３９】
さらに、制御用電源１００は、燃料電池２が発電停止した場合、系統側電力供給部２０からの直流電力を監視系制御部用電源１９Ａに供給し、同監視系制御部用電源１９Ａに直流電力を供給するものである。その結果、制御装置１８内の監視系制御部１８Ｂは、監視系制御部用電源１９Ａからの給電動作に応じて稼動するのに対し、制御装置１８内の駆動系制御部１８Ａは給電動作がないため停止状態となる。
【００４０】
また、監視系制御部１８Ｂは、監視系制御部用電源１９Ａからの給電動作に応じて稼動すると共に、監視系制御部用電源１９Ａ及び通信インタフェース用電源１９Ｂ間を電気的に接続すべく、切替リレー３１に対して切替制御信号を出力するものである。
【００４１】
制御用電源１００は、監視系制御部用電源１９Ａ及び通信インタフェース用電源１９Ｂ間を電気的に接続すると、監視系制御部用電源１９Ａから通信インタフェース用電源１９Ｂに対して系統側電力供給部２０からの直流電力を電力供給するものである。尚、監視系制御部用電源１９Ａ及び通信インタフェース用電源１９Ｂの電圧値は同一である。
【００４２】
尚、請求項記載の電力変換装置はパワコン装置４、分散型電源は燃料電池２、系統電源は系統電源３、インバータはインバータ１３、外部機器はメインコントローラ５、通信インタフェースは通信インタフェース１７、駆動系制御部は駆動系制御部１８Ａ、監視系制御部は監視系制御部１８Ｂ、電源回路は監視系制御部用電源１９Ａ、通信インタフェース用電源１９Ｂ、駆動系制御部用電源１９Ｃ〜１９Ｈ、制御用電源は制御用電源１００、切替手段は切替リレー３１、トランスはトランス３０、一次側コイルは一次側コイル３０Ａ，二次側コイルは二次側コイル３０Ｂに相当するものである。
【００４３】
次に本実施の形態を示す燃料電池発電システム１の動作について説明する。
【００４４】
パワコン装置４の制御装置１８は、燃料電池２の発電停止を検出すると、第２フィルタ１４及び系統電源３間の電気的接続を遮断すべく、系統側開閉器１５を駆動制御する。
【００４５】
系統側開閉器１５は、第２フィルタ１４及び系統電源３間の電気的接続を遮断すると、系統電源３からの交流電力を系統側電力供給部２０に供給する。
【００４６】
系統側電力供給部２０は、系統電源３からの交流電力を絶縁トランス２１、整流器２２及び逆流防止用ダイオード２３を通じて直流電力に変換し、一次側コイル３０Ａを経ることなく、この直流電力を制御用電源１００内の監視系制御部用電源１９Ａに供給する。
【００４７】
制御用電源１００内の監視系制御部用電源１９Ａは、系統側電力供給部２０から直流電力を供給すると、監視系制御部１８Ｂへの給電動作を実行する。
【００４８】
さらに監視系制御部１８Ｂは、監視系制御部用電源１９Ａからの給電に応じて、監視系制御部用電源１９Ａ及び通信インタフェース用電源１９Ｂ間の切替リレー３１に対して切替制御信号を出力することで、監視系制御部用電源１９Ａ及び通信インタフェース用電源１９Ｂ間を電気的に接続する。
【００４９】
そして、通信インタフェース用電源１９Ｂは、監視系制御部用電源１９Ａと電気的に接続することで、直流電力を供給すると、通信インタフェース１７への給電動作を実行する。
【００５０】
その結果、制御用電源１００は、燃料電池２が発電停止中であっても、系統側電力供給部２０からの直流電力を監視系制御部用電源１９Ａ及び通信インタフェース用電源１９Ｂに供給し、監視系制御部用電源１９Ａから監視系制御部１８Ｂへ、通信インタフェース用電源１９Ｂから通信インタフェース１７への給電動作を実行することなる。
【００５１】
また、制御用電源１００は、燃料電池２が発電停止中の場合、駆動系制御部用電源１９０に電力を供給しないことで、駆動系制御部１８Ａへの給電しないことになる。
【００５２】
次に監視系制御部用電源１９Ａ及び通信インタフェース用電源１９Ｂ間の切替リレー３１の動作について説明する。図２は同切替リレー３１の切替リレー制御処理に関わる監視系制御部１８Ｂの処理動作を示すフローチャートである。
【００５３】
図２において監視系制御部１８Ｂは、燃料電池２が運転中であるか否かを判定する（ステップＳ１１）。監視系制御部１８Ｂは、燃料電池２が運転中であると判定されると、系統電源３側の系統電圧が８０Ｖ以上であるか否かを判定する（ステップＳ１２）。
【００５４】
監視系制御部１８Ｂは、系統電源３側の系統電圧が８０Ｖであると判定されると、系統側電力供給部２０を通じて監視系制御部用電源１９Ａへの給電動作を実行する（ステップＳ１３）。
【００５５】
監視系制御部１８Ｂは、監視系制御部用電源１９Ａを通じて給電動作を実行し（ステップＳ１４）、制御用電源１００内の一次側コイル３０Ａ経由の直流電力ＶＤＤは２００Ｖ未満であるか否かを判定する（ステップＳ１５）。
【００５６】
監視系制御部１８Ｂは、直流電力ＶＤＤが２００Ｖ未満であると判定されると、監視系制御部用電源１９Ａ及び通信インタフェース用電源１９Ｂ間の切替リレー３１を電気的に接続すべく、切替制御信号を出力し（ステップＳ１６）、ステップＳ１２に移行する。
【００５７】
また、監視系制御部１８Ｂは、ステップＳ１５にて直流電力ＶＤＤが２００Ｖ未満でないと判定されると、監視系制御部用電源１９Ａ及び通信インタフェース用電源１９Ｂ間を電気的に遮断すべく、切替制御信号を出力し（ステップＳ１７）。
【００５８】
また、監視系制御部１８Ｂは、ステップＳ１１にて燃料電池２が運転中であると判定されると、運転停止命令を検出したか否かを判定する（ステップＳ１８）。
【００５９】
監視系制御部１８Ｂは、運転停止命令を検出したと判定されると、一次側コイル３０Ａ経由の直流電力が２００Ｖ未満であるか否かを判定すべく、図中のＭ１に移行する。
【００６０】
また、監視系制御部１８Ｂは、ステップＳ１８にて運転停止命令を検出したのでなければ、ステップＳ１７に移行する。
【００６１】
従って、本実施の形態によれば、燃料電池２が発電停止中の場合、系統側電力供給部２０からの直流電力を監視系制御部用電源１９Ａ及び通信インタフェース用電源１９Ｂにのみ供給し、監視系制御部用電源１９Ａから監視系制御部１８Ｂへ、通信インタフェース用電源１９Ｂから通信インタフェース１７への給電動作を実行するようにしたので、燃料電池２が発電停止中の場合、駆動系制御部１８Ａへの給電動作を実行することなく、監視系制御部１８Ｂ及び通信インタフェース１７への給電動作を実行することになるため、駆動系制御部１８Ａへの電力供給をなくすことで、燃料電池２の発電停止中における電力消費量を大幅に削減することができ、その結果、多大な省エネ効果を上げることができる。
【００６２】
また、本実施の形態によれば、燃料電池２が発電停止中の場合、監視系制御部用電源１９Ａ及び通信インタフェース用電源１９Ｂにのみ電力を供給し、駆動系制御部用電源１９Ｃ〜１９Ｈに電力を供給しないことから、駆動系制御部用電源１９Ｃ〜１９Ｈの先に接続する負荷の消費電力分も削減できるため、多大な省エネ効果の向上を図ることができる。
【００６３】
尚、上記実施の形態においては、燃料電池２が発電停止中の場合、監視系制御部１８Ｂ及び通信インタフェース１７にのみ電力供給するようにしたが、監視系制御部１８Ｂにのみ電力を供給するようにしても良く、この場合、通信インタフェース１７分の消費電力を軽減することができる。
【００６４】
また、上記実施の形態において、制御用電源１００は、第１フィルタ１１及び昇圧回路１２間で抽出した直流電力を制御電力として使用するようにしたが、昇圧回路１２にトランス絶縁方式を採用した場合、昇圧回路１２及びインバータ１３間からでも抽出可能であることは言うまでもない。
【００６５】
また、上記実施の形態においては、燃料電池発電システム１内の連系保護機能を備えたパワコン装置４を例に挙げて説明したが、燃料電池２にて発電した直流電力を交流電力に変換する機能のみを備えた電力変換装置（インバータ装置）にも適用可能であることは言うまでもない。
【００６６】
また、上記実施の形態においては、分散型電源として燃料電池２を例に挙げて説明したが、太陽光発電機等の他の分散型電源であっても同様の効果が得られることは言うまでもない。
【産業上の利用可能性】
【００６７】
上記のように構成された本発明の電力変換装置によれば、前記分散型電源が発電停止中の場合、前記複数の電力供給対象部位の内、前記監視系制御部の電源回路を通じて、前記系統電源からの電力を制御電力として前記監視系制御部にのみ供給するようにしたので、従来のような駆動系制御部への電力供給をなくすことで、分散型電源の発電停止中における電力消費量を大幅に削減することができ、その結果、大きな省エネ効果を得ることができるため、例えば午前７時に運転を開始し午後７時に運転を停止する、運転停止時間が長いＤＤＳ(Ｄａｉｒｙ−Ｓｔａｒｔ−Ｓｔｏｐ)運転方式を採用した燃料電池発電システム等のパワコン装置に有用である。
【図面の簡単な説明】
【００６８】
【図１】本発明の電力変換装置の実施の形態を示す燃料電池発電システムのパワコン装置内部の要部である制御用電源及び系統側電力供給部内部の概略構成を示す説明図である。
【図２】本実施の形態に関わるパワコン装置の切替リレー制御処理に関わる監視系制御部の処理動作を示すフローチャートである。
【図３】本出願人が想定した一般的な燃料電池発電システム内部の概略構成を示すブロック図である。
【図４】本出願人が想定した一般的な燃料電池発電システムのパワコン装置内部の要部である制御用電源及び系統側電力供給部内部の概略構成を示す説明図である。
【符号の説明】
【００６９】
２  燃料電池（分散型電源）
３  系統電源
４  パワコン装置（電力変換装置）
５  メインコントローラ（外部機器）
１３  インバータ
１７  通信インタフェース
１８Ａ  駆動系制御部
１８Ｂ  監視系制御部
１９Ａ  監視系制御部用電源
１９Ｂ  通信インタフェース用電源
１９Ｃ〜１９Ｈ  駆動系制御部用電源
３０  トランス
３０Ａ  一次側コイル
３０Ｂ  二次側コイル
３１  切替リレー(切替手段)
１００  制御用電源
【図１】
2007252013.tif 000003
【図２】
2007252013.tif 000004
【図３】
2007252013.tif 000005
【図４】
2007252013.tif 000006